(57)【要約】      （修正有）【課題】ファンをバッテリとケーブルによって電気的に接続配線する必要がなく、しかも効率良く冷却できる空調衣服を提供する。【解決手段】身頃本体１０の下部だけを、内布１０−Ｂと外布１０−Ａとから成る二重構造とし、その内布の後身頃１０Ｒに左右一対の通気口２７を設けた空調衣服において、その各通気口の外側には下向き開口する吸気誘導フード２９を設置する一方、同じく内側にはメッシュシートから成るファン収納ポケット３０を設置すると共に、そのポケットへバッテリ一体内蔵型のファンＦを出し入れ自在に収納して、そのファンが吸気誘導フードの下方から通気口並びにファン収納ポケットの網目を通じて、内布の内側へ空気を吸い込むように定めた。【選択図】図８
0003232872.tif 000002
【実用新案登録請求の範囲】
【請求項１】
身頃本体の胴廻りに対応位置する下部だけを、内布とその内布を被覆する外布とから成る二重構造とし、その内布の後身頃に左右一対の通気口を設けた空調衣服において、
その各通気口の外側には下向き開口する半円錐形の吸気誘導フードを設置する一方、同じく各通気口の内側にはメッシュシート又はネットから成るファン収納ポケットを設置すると共に、そのファン収納ポケットへバッテリ一体内蔵型のファンを出し入れ自在に収納して、
そのファンが上記吸気誘導フードの下方から通気口並びにファン収納ポケットの網目を通じて、上記内布の内側へ空気を吸い込むように定めたことを特徴とする空調衣服。
【請求項２】
身頃本体の胴廻りに対応位置する下部だけを、内布とその内布を被覆する外布とから成る二重構造とし、その内布の後身頃に左右一対の通気口を設けた空調衣服において、
その各通気口の外側には下向き開口する半円錐形の吸気誘導フードを設置する一方、同じく各通気口の内側にはメッシュシート又はネットから成るファン収納ポケットを設置して、そのファン収納ポケットへバッテリ一体内蔵型のファンを出し入れ自在に収納すると共に、
上記身頃本体における後身頃の背中と対応位置する上部中央には、その後身頃へ内側から水平な橋渡し状態に架設した一定長さの弛み形成用バンドにより、上方への通気空間となる弛み部を弯曲形成して、
上記ファンがその吸気誘導フードの下方から通気口並びにファン収納ポケットの網目を通じて、上記内布の内側へ吸い込んだ空気を、上記バンドにより弯曲形成された弛み部の通気空間から着用者の首廻りへ送出するように定めたことを特徴とする空調衣服。
【請求項３】
身頃本体における後身頃の首廻りに臨む上端部中央に、ヘッドフードの根元部を縫い付けて、
バッテリ一体内蔵型のファンがその吸気誘導フードの下方から通気口並びにファン収納ポケットの網目を通じて、内布の内側へ吸い込んだ空気を、弛み形成用バンドにより弯曲形成された弛み部の通気空間から着用者の首廻りと上記ヘッドフードの内部へ送出するように定めたことを特徴とする請求項２記載の空調衣服。
【請求項４】
各通気口の外側には前後方向から見て矩形な吸気誘導フード収納ポケットの上辺と左右両側辺とを縫い付けると共に、
その各吸気誘導フード収納ポケットへ別個の弾性変形可能な板材から成る吸気誘導フードを、下向き開口する半円錐形の弯曲状態として且つ下方からの抜き差し自在に差し込み設置したことを特徴とする請求項１又は２記載の空調衣服。
【請求項５】
各通気口の内側には前後方向から見て矩形な有底ファン収納ポケットの左右両側辺のみか、又は左右両側辺と底面になる下辺とを縫い付けると共に、
その各ファン収納ポケットの上辺を雌雄一対のハトメホックや面ファスナー、その他の止着具によって開閉できるように定めたことを特徴とする請求項１又は２記載の空調衣服。
【請求項６】
バッテリ一体内蔵型のファンを、軸流ファン並びにその回転駆動用モーターが内蔵設置された排気側の円形リヤーガードと、そのリヤーガードの円周面から連続一体に張り出し形成されたバッテリ収納ボックスと、そのバッテリ収納ボックスのカバープレートと、上記リヤーガードの円周面に螺合締結された吸気側の円形フロントガードとから形作り、
上記モーターと制御回路基板を介して電気的に接続されたバッテリを、その回路基板と一緒に上記バッテリ収納ボックスへ内蔵設置すると共に、
そのバッテリ収納ボックスの外部から上記ファンの起動・停止操作と風力の強弱調整操作を行えるように定めたことを特徴とする請求項１又は２記載の空調衣服。
【考案の詳細な説明】
【技術分野】
【０００１】
本考案は主に雨衣（防水着）や作業服などとして有用な空調衣服に関する。
【背景技術】
【０００２】
本考案の出願人は特許文献１記載の考案「雨衣の空調システム」を実施している。
【０００３】
この考案の構成ではファン取付口（２６）が身頃本体（１０）の内布（１０−Ｂ）に開口分布しており、ここに取り付けられたファン（Ｆ）は、身頃本体（１０）の外布（１０−Ａ）によって被覆された常態にあるため、雨水の侵入するおそれがなく、しかも良好な外観体裁（意匠性）を得られる効果がある。
【先行技術文献】
【特許文献】
【０００４】
【特許文献１】実用新案登録第３２２０２３２号公報
【考案の概要】
【考案が解決しようとする課題】
【０００５】
ところが、上記公知考案の構成ではファン（Ｆ）が身頃本体（１０）に挟み付け一体化されているため、雨衣の洗濯を行い難いほか、その雨衣をファン（Ｆ）の取り付けられていない軽量な状態において快適に使用することもできない。
【０００６】
また、上記ファン（Ｆ）としてもその電源となるバッテリ（３４）が必要であり、その互いに別個な両者をケーブル（３３）を介して接続配線しなければならず、その電気配線が着用状態での違和感を与えると共に、破断するおそれもある。
【０００７】
更に、着用者の首廻りに対応位置する半円筒形又は三日月形の排気誘導トンネル（４６）と、これを後身頃（１０Ｒ）の上端中央部に保持する吊り下げバンド（４３）との２部材が必要となっているため、その雨衣の量産効果を最大限に期待できない問題もある。
【課題を解決するための手段】
【０００８】
本考案はこのような問題の改良を目的としており、その目的を達成するために、請求項１では身頃本体の胴廻りに対応位置する下部だけを、内布とその内布を被覆する外布とから成る二重構造とし、その内布の後身頃に左右一対の通気口を設けた空調衣服において、
【０００９】
その各通気口の外側には下向き開口する半円錐形の吸気誘導フードを設置する一方、同じく各通気口の内側にはメッシュシート又はネットから成るファン収納ポケットを設置すると共に、そのファン収納ポケットへバッテリ一体内蔵型のファンを出し入れ自在に収納して、
【００１０】
そのファンが上記吸気誘導フードの下方から通気口並びにファン収納ポケットの網目を通じて、上記内布の内側へ空気を吸い込むように定めたことを特徴とする。
【００１１】
請求項２では身頃本体の胴廻りに対応位置する下部だけを、内布とその内布を被覆する外布とから成る二重構造とし、その内布の後身頃に左右一対の通気口を設けた空調衣服において、
【００１２】
その各通気口の外側には下向き開口する半円錐形の吸気誘導フードを設置する一方、同じく各通気口の内側にはメッシュシート又はネットから成るファン収納ポケットを設置して、そのファン収納ポケットへバッテリ一体内蔵型のファンを出し入れ自在に収納すると共に、
【００１３】
上記身頃本体における後身頃の背中と対応位置する上部中央には、その後身頃へ内側から水平な橋渡し状態に架設した一定長さの弛み形成用バンドにより、上方への通気空間となる弛み部を弯曲形成して、
【００１４】
上記ファンがその吸気誘導フードの下方から通気口並びにファン収納ポケットの網目を通じて、上記内布の内側へ吸い込んだ空気を、上記バンドにより弯曲形成された弛み部の通気空間から着用者の首廻りへ送出するように定めたことを特徴とする。
【００１５】
請求項３では身頃本体における後身頃の首廻りに臨む上端部中央に、ヘッドフードの根元部を縫い付けて、
【００１６】
バッテリ一体内蔵型のファンがその吸気誘導フードの下方から通気口並びにファン収納ポケットの網目を通じて、内布の内側へ吸い込んだ空気を、弛み形成バンドにより弯曲形成された弛み部の通気空間から着用者の首廻りと上記ヘッドフードの内部へ送出するように定めたことを特徴とする。
【００１７】
請求項４では各通気口の外側には前後方向から見て矩形な吸気誘導フード収納ポケットの上辺と左右両側辺とを縫い付けると共に、
【００１８】
その各吸気誘導フード収納ポケットへ別個の弾性変形可能な板材から成る吸気誘導フードを、下向き開口する半円錐形の弯曲状態として且つ下方からの抜き差し自在に差し込み設置したことを特徴とする。
【００１９】
請求項５では各通気口の内側には前後方向から見て矩形な有底ファン収納ポケットの左右両側辺のみか、又は左右両側辺と底面になる下辺とを縫い付けると共に、
【００２０】
その各ファン収納ポケットの上辺を雌雄一対のハトメホックや面ファスナー、その他の止着具によって開閉できるように定めたことを特徴とする。
【００２１】
請求項６ではバッテリ一体内蔵型のファンを、軸流ファン並びにその回転駆動用モーターが内蔵設置された排気側の円形リヤーガードと、そのリヤーガードの円周面から連続一体に張り出し形成されたバッテリ収納ボックスと、そのバッテリ収納ボックスの開閉用カバープレートと、上記リヤーガードの円周面に螺合締結された吸気側の円形フロントガードとから形作り、
【００２２】
上記モーターと制御回路基板を介して電気的に接続されたバッテリを、その回路基板と一緒に上記バッテリ収納ボックスへ内蔵設置すると共に、
【００２３】
そのバッテリ収納ボックスの外部から上記ファンの起動・停止操作と風力の強弱調整操作を行えるように定めたことを特徴とする。
【考案の効果】
【００２４】
請求項１の上記構成によれば、身頃本体における下部の二重構造をなす内布の後身頃に、左右一対の通気口が開口分布されているため、その各通気口の内側に設置されたファン収納ポケットへ、バッテリ一体内蔵型（ケーブルレス）のファン（扇風機）を差し入れ収納して、そのファンを回転させれば、空気（外気）が上記通気口の外側に設置された吸気誘導フードの下方から、その内布の通気口並びに上記ファン収納ポケットの網目（メッシュ）を通じて、上記内布の内側へ確実に吸い込まれることとなり、その空気によって着用者の上半身を背後から全体へと効率良く冷却することができる。
【００２５】
その場合、上記ファンはバッテリ一体内蔵型として、冒頭に挙げた公知考案のような別個独立のバッテリとケーブルを介して接続配線する必要がなく、また身頃本体における前身頃の内側へバッテリだけの収納ポケットを設ける必要もないので、上記ケーブルの不慮に断線するおそれがないことは勿論、そのバッテリ一体内蔵型のファンを収納ポケットから抜き出して、空調衣服を支障なく容易に洗濯したり、小型扁平に折りたたみ携帯したり、卓上スタンド式や携帯式のファンとして使用したりすることもでき、著しく便利である。
【００２６】
しかも、上記身頃本体の下部位置を占める内布の後身頃に開口形成された通気口と、その通気口の内側に設置されたファン収納ポケット並びにそのポケットに収納された上記ファンと、同じく通気口の外側に設置された吸気誘導フードとは、すべて身頃本体の外布によって被覆された常態にあるため、雨水の侵入するおそれがなく、良好な外観体裁（意匠性）を保つことができ、その結果特に作業用雨衣として有益である。
【００２７】
他方、請求項２の構成によれば、上記身頃本体の背中と対応位置する後身頃の上部中央に、一定長さの弛み形成用バンドが水平な橋渡し状態として、内側から縫い付けられており、上方への通気空間となる弛み部が弯曲形成されているため、バッテリ一体内蔵型のファンにより上記吸気誘導フードの下方から内布の内側へ吸い込まれた空気は、引続き上記バンドにより弯曲された弛み部の通気空間から、着用者の首廻りへ言わば集中的に誘導・送出されることとなり、その着用者における背中の上部中央と首廻りをやはり効率良く冷却できるのである。
【００２８】
特に、請求項３の構成を採用するならば、上記着用者の首廻りのみならず、更にヘッドフードの内部まで空気を送り込むことにより、着用者の頭部も背後から冷却できる効果がある。
【００２９】
また、請求項４の構成を採用するならば、上記吸気誘導フードをその収納ポケットへ正確な半円錐形の弯曲状態として、下方からすばやく容易に差し込み設置することができるほか、その吸気誘導フードを抜き出し交換したり、これを抜き出した非空調衣服として使用したりすることも可能である。
【００３０】
請求項５の構成を採用するならば、上記ファン収納ポケットの出し入れ口がハトメホック（ドットボタン）や面ファスナーなどによって開閉できるようになっているため、その出し入れ口を閉止することによって、着用者の姿勢が大きく変化するような場合にも、上記ファンをその収納ポケットから脱落しない状態に保てる効果がある。
【００３１】
更に、請求項６の構成を採用するならば、軸流ファン（ファンブレード）の回転駆動用モーターとその電源のバッテリとが、制御回路基板（プリント配線基板）を介して電気的に接続されており、その制御回路基板はバッテリと一緒に、リヤーガード（ファン本体）と連続一体のバッテリ収納ボックスに内蔵設置されているため、空調衣服用の小型コンパクトなバッテリ一体内蔵型ファンとして、合理的にユニット化することができる。
【００３２】
しかも、そのバッテリ収納ボックスの平坦面をテーブルへ接地させることにより、そのテーブルに自立するスタンド式のファンとして使用することもでき、起動・停止操作と風力（風量）の強弱（多少）調整操作を上記バッテリ収納ボックスの外部から行えることとも相俟って、著しく便利である。
【図面の簡単な説明】
【００３３】
【図１】本考案に係る空調衣服を作業用雨衣に適用した実施形態の全体概略正面図である。
【図２】図１の概略背面図である。
【図３】ヘッドフードの上半部を取りはずし、前身頃を開放した状態の概略正面図である。
【図４】図３から抽出した内布を外側から見た正面図である。
【図５】図２の５−５線に沿う拡大断面模式図である。
【図６】図３の一部を抽出して示す拡大正面図である。
【図７】図６の７−７線に沿う断面図である。
【図８】同じく図６の８−８線に沿う断面図である。
【図９】図２の９−９線に沿う拡大断面図である。
【図１０】図９の１０−１０線に沿う拡大断面図である。
【図１１】ファンを抽出して示す一部破断の正面図である。
【図１２】図１１の一部破断側面図である。
【考案を実施するための形態】
【００３４】
以下、図面に基いて本考案の好適な実施形態を詳述すると、図１〜３は作業用雨衣に適用した空調衣服の概略全体を示しており、その空調衣服は身頃本体（１０）とヘッドフード（頭巾）（１１）、左右一対の袖（１２）並びに左右一対の襠（添え布）（１３）とから構成されている。
【００３５】
これらの構成部材は何れもナイロンやポリエステル、ＥＶＡ（エチレン酢酸ビニール）、その他の伸縮性が少ない合成繊維から成り、その表面には撥水性が与えられている一方、裏面にはポリ塩化ビニール系樹脂コーティングやポリウレタン系樹脂コーティング又はラミネートなどの防水性が与えられている。
【００３６】
上記左右一対の襠（１３）は何れも袖（１２）の袖口部から身頃本体（１０）の中途高さ位置（Ｈ−Ｈ）に至るまでの一定長さを有しており、極めて細長い展開輪部形状を呈している。
【００３７】
そして、上記襠（１３）は袖（１２）の脇部と、身頃本体（１０）における前身頃（１０Ｆ）の体側部（横腹部）に沿って連続的に縫製されている。（１４Ｆ）はその襠（１３）における袖（１２）の脇部と前身頃（１０Ｆ）の体側部に沿って延在する前側縫製ラインを示している。
【００３８】
また、上記襠（１３）は同じく袖（１２）の脇部と、身頃本体（１０）における後身頃（１０Ｒ）の体側部（横腹部）に沿ってやはり連続的に縫製されている。（１４Ｒ）はその襠（１３）における袖（１２）の脇部と後身頃（１０Ｒ）の体側部に沿って延在する後側縫製ラインを示している。
【００３９】
（１５Ｆ）（１５Ｒ）は上記前身頃（１０Ｆ）並びに後身頃（１０Ｒ）を含む身頃本体（１０）と、左右一対の袖（１２）とを連結する斜め方向へ延在する前側縫製ライン並びに後側縫製ライン、（１６）は前身頃（１０Ｆ）における左右一対のポケット（図示省略）を開閉するスライドファスナー、（１７）はヘッドフード（１１）の根元部を身頃本体（１０）に縫い付ける首廻りの縫製ライン、（１８）はそのヘッドフード（１１）における中途高さ位置のほぼ水平な開閉用スライドファスナーであり、これによってヘッドフード（１１）の約上半部を取りはずし開放することができるようになっている。
【００４０】
（１９）は上記ヘッドフード（１１）の裏布をなすメッシュシートであり、ヘッドフード（１１）の上半部を取りはずして、このメッシュシート（１９）を図３のように頭部へ被り、その上方から図外のヘルメットを被り使用することもできる。（２０）は上記ヘッドフード開閉用スライドファスナー（１８）の防水カバーである。
【００４１】
また（２１Ｆ）は左右一対の襠（１３）を連結する如く、前身頃（１０Ｆ）の胸部に延在するほぼ水平な前側縫製ライン、（２１Ｒ）は上記斜め方向へ延在する左右一対の後側縫製ライン（１５Ｒ）を連結する如く、後身頃（１０Ｒ）における背中の上部に延在するほぼ水平な後側縫製ラインであり、その前側縫製ライン（２１Ｆ）と後側縫製ライン（２１Ｒ）とはほぼ同じ高さ位置に対応している。
【００４２】
上記襠（１３）の一端部となる身頃本体（１０）の中途高さ位置（Ｈ−Ｈ）よりも下部は、着用者の胴（腰）廻りに対応位置する領域をなし、ここだけが図３〜８から明白なように、内布（１０−Ｂ）とその内布（１０−Ｂ）を被覆する外布（１０−Ａ）とから成る二重身頃構造に形作られている。
【００４３】
つまり、上記前身頃（１０Ｆ）と後身頃（１０Ｒ）を含む全体の身頃本体（１０）は、言わば外布（１０−Ａ）のみから成る一重構造であるが、これと別個な内布（１０−Ｂ）の上端縁部が身頃本体（外布）（１０）の上記中途高さ位置（Ｈ−Ｈ）に沿ってほぼ水平に縫製されており、その内布（１０−Ｂ）と外布（１０−Ａ）との二重構造になっているのである。
【００４４】
その場合図６、８の拡大図に示すように、その身頃本体（１０）の上記中途高さ位置（Ｈ−Ｈ）から垂下する内布（１０−Ｂ）の長さ（Ｙ２）は、同じく中途高さ位置（Ｈ−Ｈ）から垂下する外布（１０−Ａ）の長さ（Ｙ１）よりも短く、その内布（１０−Ｂ）の裾部（下端縁部）は外布（１０−Ａ）によって被覆されている。そのため、内布（１０−Ｂ）を周囲から直視することができず、好体裁の外観化粧効果（意匠性）を得られ、外布（１０−Ａ）の外側から内布（１０−Ｂ）の内側へ雨水が侵入するおそれもない。
【００４５】
しかも、ゴム紐やその他の伸縮材（２２）が上記内布（１０−Ｂ）の裾部（下端縁部）に沿って取り付けられており、ここを着用者の胴（腰）廻りへ密着させることによって、追って詳述するファン（扇風機）（Ｆ）が身頃本体（１０）における内布（１０−Ｂ）の内側へ吸い込んだ空気（外気）をはらみ、その内側から外側へ漏出させないようになっている。
【００４６】
（２３）は上記身頃本体（１０）における前身頃（１０Ｆ）の開閉用スライドファスナーであり、その身頃本体（１０）の中央縦断線上に沿って延在している。（２４）はスライドファスナー（２３）を被覆する防水カバーであって、そのスライドファスナー（２３）における左右一対のテープ片（図示省略）と一緒に前身頃（１０Ｆ）へ縫い付けられている。
【００４７】
（２５）は上記防水カバー（２４）をスライドファスナー（２３）の被覆状態に保つ雌雄一対の面ファスナーであり、その面ファスナー（２５）の止着を解くことによって、上記スライドファスナー（２３）をスライド操作することができる。（２６）は上記内布（１０−Ｂ）を前身頃（１０Ｆ）の中央縦断線上において閉合状態に止着する雌雄一対のハトメホック（ドットボタン）であり、その止着を解いて、身頃本体（１０）の前身頃（１０Ｆ）を開くことになる。
【００４８】
上記身頃本体（１０）の中途高さ位置（Ｈ−Ｈ）よりも下部が着用者の胴（腰）廻りに対応位置する領域として、ここだけ内布（１０−Ｂ）とこれを包囲する外布（１０−Ａ）とから成る二重身頃構造になっている旨は既述のとおりであるが、その内布（１０−Ｂ）の後身頃（１０Ｒ）には左右一対の円形な通気口（２７）が開口分布されている。（２８）はその各通気口（２７）を縁取り補強するシートリングである。
【００４９】
そして、各通気口（２７）の外側にはファン（Ｆ）の吸気誘導フード（２９）が設置されている一方、同じく各通気口（２７）の内側にはそのファン収納ポケット（３０）が設置されており、ここに収納されたファン（Ｆ）が吸気誘導フード（２９）の下方から上記内布（１０−Ｂ）の内側へ、空気（外気）を吸い込むことができるようになっている。
【００５０】
即ち、これらの設置状態を示した図３〜８において、（３１）は左右一対の吸気誘導フード収納ポケットであって、前後方向から見て矩形（図例では縦方向に細長い長方形）をなし、その下辺を除く上辺と左右両側辺との３辺が、上記内布（１０−Ｂ）の後身頃（１０Ｒ）へ外側から各々縫い付けられている。（３２）はその縫製ラインである。
【００５１】
これに比し、吸気誘導フード（２９）は前後方向から見てのほぼ等脚台形として、ＥＶＡ発泡体やその他の弾性変形可能な軽い板材から造形されており、これをその上記収納ポケット（３１）へ抜き差し自在に差し込めば、その過程において自ずと図７、８のような下向き開口する半円錐形に弯曲（変形）し、その復元突っ張り力によって上記収納ポケット（３１）の内部へ脱落不能に取り付け維持されるようになっている。
【００５２】
この点、図例ではその吸気誘導フード収納ポケット（３１）の開口下縁部を吸気誘導フード（２９）の下辺受け止め片（３３）として、内向き折り曲げ状態に保つと共に、吸気誘導フード（２９）とその収納ポケット（３１）とを雌雄一対のハトメホック（３４）又は面ファスナーなどによって、着脱自在に止着している。
【００５３】
何れにしても、上記吸気誘導フード（２９）の取付状態では身頃本体（１０）の内布（１０−Ｂ）と、これを被覆する外布（１０−Ａ）との内外相互間に、その内布（１０−Ｂ）に付属した半円錐形の吸気誘導フード（２９）が介在することになる結果、これによって上記内外相互間に必ず一定の通気空間（Ｄ１）が確保され、その吸気誘導フード（２９）の下向き開口からファン（Ｆ）へ、図８の矢印（Ｚ１）で示す如く充分な空気（外気）を円滑に安定良く誘導することができる。
【００５４】
尚、図示実施形態の場合上記内布（１０−Ｂ）の後身頃（１０Ｒ）に吸気誘導フード収納ポケット（３１）を縫い付けて、その内部へ別個な吸気誘導フード（２９）を抜き差し自在に差し込み設置するようになっているため、その吸気誘導フード（２９）を抜き出し交換できる利点があるが、ファン（Ｆ）への円滑・確実な吸気誘導作用を営める限りでは、上記吸気誘導フード収納ポケット（３１）の設置を省略して、その吸気誘導フード（２９）自身を上記内布（１０−Ｂ）の後身頃（１０Ｒ）へ外側から直接に取り付け固定しても良い。
【００５５】
他方、各通気口（２７）の内側に存在するファン収納ポケット（３０）は、図３、６のような前後方向から見ての上向き拡開するほぼ倒立等脚台形や縦方向に細長い矩形として、網目（通気孔）を有する合成繊維のメッシュシート又はネットから造形されており、その左右両側辺だけが上記内布（１０−Ｂ）の後身頃（１０Ｒ）へ内側から各々縫い付けられている。（３５）はその縫製ラインを示している。
【００５６】
その場合、ファン収納ポケット（３０）の底面となる下辺はその底面を奥行寸法の大きなほぼ長方形に区成するため、上記左右両側辺に縫い付けられた別個なファン受け止めバンド（３６）によって、ファン（Ｆ）を下方から支持できる状態に保っているが、このような別個のファン受け止めバンド（３６）を備えた有底のファン収納ポケット（３０）の構成に代えて、上記ファン収納ポケット（３０）の左右両側辺のみならず、下辺も含む３辺を内布（１０−Ｂ）の後身頃（１０Ｒ）へ内側から縫い付けても良い。
【００５７】
（３７）は上記ファン収納ポケット（３０）におけるファン（Ｆ）の出し入れ口となる上辺を開閉する雌雄一対のハトメホックであるが、そのハトメホック（３７）に代わる雌雄一対の面ファスナーや、左右両側辺に沿ってスライド操作する一対のスライドファスナー（図示省略）などを採用しても良い。
【００５８】
更に、身頃本体（１０）の中途高さ位置（Ｈ−Ｈ）よりも上部が外布（１０−Ａ）のみの一重身頃構造になっている旨を説明したが、その身頃本体（１０）における就中後身頃（１０Ｒ）の背中と対応位置する上部中央には、図３、９、１０のような一定長さ（Ｌ）の弛み形成用バンド（３８）が両肩部を結ぶ高さ位置での水平線上に沿って延在する橋渡し状態に架設されている。
【００５９】
つまり、上記身頃本体（１０）の中央縦断線とほぼ直交する水平な弛み形成用バンド（３８）の左右両端部が、その後身頃（１０Ｒ）へ内側から縫い付けられており、その予め適当に設定された一定長さ（Ｌ）での所謂引張り力によって、後身頃（１０Ｒ）の上記上部中央位置に上下方向から見てほぼ三日月形又は弓形の通気空間（Ｄ２）となる弛み部（３９）を弯曲形成しているのである。
【００６０】
その後身頃（１０Ｒ）に弛み部（３９）を形成する一定長さ（Ｌ）の上記バンド（３８）は、着用者の背中と接触するため、その背後に図９、１０の鎖線で示すような通気空間（Ｄ２）が形成されることとなる。（４０）は上記後身頃（１０Ｒ）に対する弛み形成用バンド（３８）の縫製ラインを示している。
【００６１】
そして、上記ファン（Ｆ）がその吸気誘導フード（２９）の下方から内布（１０−Ｂ）の後身頃（１０Ｒ）に開口分布する通気口（２７）と、ファン収納ポケット（３０）の網目を通じて、上記内布（１０−Ｂ）の内側へ吸い込んだ空気を、図９の矢印（Ｚ２）で示すように、その後身頃（１０Ｒ）の弛み形成用バンド（３８）により弯曲形成された弛み部（３９）の通気空間（Ｄ２）から、着用者の首廻りを指向する上方へ円滑に誘導・送出することができるようになっている。
【００６２】
着用者の頭部がヘッドフード（１１）やそのヘッドフード（１１）に代わる図外のヘルメットによって被覆されている場合には、上記ファン（Ｆ）からの上方へ誘導される空気は、その着用者の首廻りから更にヘッドフード（１１）やヘルメットの内部へ送出されることとなり、その頭部を背後から冷却することができる。
【００６３】
先に一言したファン（扇風機）（Ｆ）は、その左右一対の何れも電気配線不要（所謂ケーブルレス）なバッテリ一体内蔵型の合成樹脂製品であって、その各個が図１１、１２に抽出して示すような排気側になる円形のリヤーガード（ファン本体）（４１）と、吸気側になる対応的な円形のフロントガード（ファンカバー）（４２）とから組み立てられており、その分解することもできるようになっている。
【００６４】
リヤーガード（４１）は断面コ字形をなし、その内部には軸流ファン（ファンブレード）（４３）とその回転駆動用モーター（４４）が格納設置されていると共に、その円形中心部から周縁部に向かって多数のスポーク（４５）が放射状に派出されている。
【００６５】
（４６）は上記リヤーガード（４１）の外周面から連続一体に張り出し形成されたバッテリ収納ボックスであって、前後方向から見てほぼＵ字形をなし、その内部にはバッテリ（４７）と制御回路基板（プリント配線基板）（４８）が格納設置されている。そのバッテリ（４７）としては図例のようなリチウムイオン電池のみに限らず、ニッケル・カドミウム蓄電池やその他の２次電池を採用しても良い。
【００６６】
その場合、バッテリ収納ボックス（４６）の内部におけるリヤーガード（４１）の外周面（円弧面）へ接近する位置に上記バッテリ（４７）と、そのリヤーガード（４１）から遠ざかる平坦面と接近する位置に上記制御回路基板（４８）とが、並列する状態に格納設置されている。
【００６７】
そして、図示省略してあるが、モーター（４４）側の端子とバッテリ（４７）側の電極とは、上記制御回路基板（４８）を介して接続配線されている。その配線（リード線）はバッテリ収納ボックス（４６）内の制御回路基板（４８）からリヤーガード（４１）の外周面（円弧面）と上記スポーク（４５）を貫通して、ファン回転駆動用モーター（４４）に到達している。
【００６８】
（４９）は上記バッテリ収納ボックス（４６）の開閉用カバープレートであり、複数の固定ビス（５０）によって着脱自在に取り付けられている。（５１）（５２）は上記制御回路基板（４８）上に並列する電源スイッチと複数の風力（風量）表示ランプ（ＬＥＤランプ）であり、その電源スイッチ（５１）を上記バッテリ収納ボックス（４６）における平坦面の外側から長押しすることによって、上記ファン（Ｆ）をオン・オフ（起動・停止）操作するようになっている。
【００６９】
また、ファン（Ｆ）の起動中において、電源スイッチ（５１）を１回押す毎に風力（風量）が強弱（多少）変化し、そのファン（Ｆ）の風力（風量）が好ましくは３段階（強・中・弱）に強弱（多少）調整された状態を、上記風力（風量）表示ランプ（５２）の順次点灯によって、バッテリ収納ボックス（４６）の外側から知得することができる。
【００７０】
他方、上記ファン（Ｆ）のフロントガード（４２）はリヤーガード（４１）と向かい合う断面コ字形をなし、そのフロントガード（４２）の外周面に設けられた雄ネジ(５３)と、上記リヤーガード（４１）の内周面に対応形成された雌ネジ（５４）とが、着脱自在に螺合締結されている。（５５）はフロントガード（４２）の円形中心部から周縁部に向かって放射状に派出された多数のスポークであり、上記リヤーガード（４１）のスポーク（４５）と相俟って軸流ファン（ファンブレード）（４３）を安全に防護している。
【００７１】
本考案の実施形態に係る作業用雨衣として具体化された空調衣服は、上記した構成を備えており、使用者が降雨時の屋外作業上、これを着用する前か又は後で、その身頃本体（１０）の胴（腰）廻りに付属している左右一対のファン収納ポケット（３０）へ、上記バッテリ一体内蔵型のファン（扇風機）（Ｆ）を各々差し入れ収納して、そのファン（Ｆ）の電源スイッチ（５１）をオン操作すると共に、風力（風量）の強弱（多少）調整操作を行えば、上記軸流ファン（ファンブレード）（４３）が回転作動し、これによって空気（外気）が吸気誘導フード（２９）の下方から身頃本体（１０）における内布（１０−Ｂ）の通気口（２７）並びにファン収納ポケット（３０）の網目を通じて、その内布（１０−Ｂ）の内側へ吸い込まれ、着用者の背中と後身頃（１０Ｒ）との内外相互間を自ずと上方へ流動して、引き続き後身頃（１０Ｒ）の上部中央に弯曲形成された弛み部（３９）の通気空間（Ｄ２）から、着用者の首廻りに至るまでの上半身を広く高効率に冷却することができる。
【００７２】
その場合、上記ファン（Ｆ）はバッテリ一体内蔵型として、従来のように別個独立しているバッテリと一定長さのケーブルを介して、電気的に接続配線されていないので、その配線の断線してしまうおそれがないことは勿論のこと、その配線があることによって、衣服の着脱時や着用中に支障を生じたり、違和感を覚えたりするおそれもない。
【００７３】
また、上記ファン収納ポケット（３０）の出し入れ口はハトメホック（３７）や面ファスナーなどによって閉止されるようになっているため、着用者の姿勢が作業中に大きく変化しても、ファン（Ｆ）がその収納ポケット（３０）から脱落するおそれはなく、そのファン（Ｆ）を意図的に収納ポケット（３０）から抜き出すことにより、衣服を容易に洗濯したり、小型扁平に折りたたんだり、卓上スタンド式や携帯式のファン（Ｆ）などとして使用したりすることも可能である。
【００７４】
そして、上記身頃本体（１０）の中途高さ位置（Ｈ−Ｈ）よりも下部では、ファン（Ｆ）を出し入れ自在に収納したファン収納ポケット（３０）が、上記内布（１０−Ｂ）に形成された通気口（２７）の内側から、その内布（１０−Ｂ）の後身頃（１０Ｒ）へ縫い付けられており、その通気口（２７）は内布（１０−Ｂ）との二重身頃構造をなす長い外布（１０−Ａ）によって被覆されているため、上記ファン（Ｆ）や通気口（２７）の露出による雨水の侵入や外観体裁（意匠性）の悪化などを招来するおそれはない。
【００７５】
更に、そのファン（Ｆ）や通気口（２７）が身頃本体（１０）の外布（１０−Ａ）によって被覆されているとしても、上記吸気誘導フード（２９）は内布（１０−Ｂ）に形成された通気口（２７）の外側から、その内布（１０−Ｂ）の後身頃（１０Ｒ）へ縫い付けられており、これによって内布（１０−Ｂ）と外布（１０−Ａ）との内外相互間に一定の通気空間（Ｄ１）を確保しているため、その半円錐形に弯曲する吸気誘導フード（２９）の下向き開口から、充分な空気（外気）を上記ファン（Ｆ）によって確実・円滑に吸い込むことができ、その安定した吸気作用を得られる。
【００７６】
他方、上記身頃本体（１０）の中途高さ位置（Ｈ−Ｈ）よりも上部では、その身頃本体（外布）（１０）における後身頃（１０Ｒ）の背中と対応位置する上部中央に、内側から一定長さ（Ｌ）の弛み形成用バンド（３８）が水平な橋渡し状態に架設されており、これによって上方への通気空間（Ｄ２）となる弛み部（３９）が後身頃（１０Ｒ）に弯曲形成されているため、上記ファン（Ｆ）により吸い込まれた空気をその上下方向から見て三日月形又は弓形の通気空間（Ｄ２）から、着用者の首廻りに向かって言わば集中的に誘導・送出することができ、延いてはヘッドフード（１１）やヘルメットの内部に至るまで気持ち良く冷却し得るのである。
【００７７】
尚、上記ファン（Ｆ）による強制的な空気の流動中、身頃本体（１０）における内布（１０−Ｂ）の裾部（下端縁部）が伸縮材（２２）によって、その空気の漏出しない状態に絞り収縮されていることは言うまでもない。上記ファン（Ｆ）はそのファン収納ポケット（３０）から抜き出すことができ、上記吸気誘導フード（２９）はその吸気誘導フード収納ポケット（３１）から抜き出すことができ、更にバッテリ（４７）はそのバッテリ収納ボックス（４６）から取り出すことができるため、例えば汚損したり、消耗したりしたような場合にこれらを交換したり、寒い時や冬期には非空調の衣服（雨衣）として使用したりすることも可能である。
【符号の説明】
【００７８】
（１０）・・・身頃本体
（１０−Ａ）・・・外布
（１０−Ｂ）・・・内布
（１０Ｆ）・・・前身頃
（１０Ｒ）・・・後身頃
（１１）・・・ヘッドフード
（２２）・・・伸縮材
（２３）・・・スライドファスナー
（２７）・・・通気口
（２９）・・・吸気誘導フード
（３０）・・・ファン収納ポケット
（３１）・・・吸気誘導フード収納ポケット
（３８）・・・弛み形成用バンド
（３９）・・・後身頃の弛み部
（４１）・・・リヤーガード（ファン本体）
（４２）・・・フロントガード（ファンカバー）
（４３）・・・軸流ファン（ファンブレード）
（４４）・・・モーター
（４６）・・・バッテリ収納ボックス
（４７）・・・バッテリ
（４８）・・・制御回路基板
（４９）・・・カバープレート
（５０）・・・固定ビス
（５１）・・・電源スイッチ
（５２）・・・風力（風量）表示ランプ
（Ｄ１）（Ｄ２）・・・通気空間
（Ｆ）・・・ファン（扇風機）
（Ｈ−Ｈ）・・・中途高さ位置
（Ｌ）・・・一定長さ
（Ｚ１）（Ｚ２）・・・空気流動矢印
【図１】
0003232872.tif 000003
【図２】
0003232872.tif 000004
【図３】
0003232872.tif 000005
【図４】
0003232872.tif 000006
【図５】
0003232872.tif 000007
【図６】
0003232872.tif 000008
【図７】
0003232872.tif 000009
【図８】
0003232872.tif 000010
【図９】
0003232872.tif 000011
【図１０】
0003232872.tif 000012
【図１１】
0003232872.tif 000013
【図１２】
0003232872.tif 000014